(57)【特許請求の範囲】
【請求項１】
撮像光学系と該撮像光学系により結像された被写体を撮像する撮像素子とを有するレンズユニットと、表示部を有する本体ユニットとが着脱可能な撮像装置において、
前記本体ユニットは、複数の前記レンズユニットのうち任意の１つの前記レンズユニットを装着可能であり、
前記本体ユニットは、
装着されている前記レンズユニットの能力情報を取得する取得手段と、
前記取得した能力情報に基づき、前記表示部に、装着されている前記レンズユニットに関する表示を行う制御手段と、
電源供給手段と、を備え、
前記レンズユニットは、前記電源供給手段から電力を供給され、
前記制御手段は、
前記取得手段が前記レンズユニットの能力情報を取得した場合は、前記取得した能力情報に基づき、前記電源供給手段の残電圧容量データを当該取得した能力情報に基づき時間データに変換し前記表示部に表示させ、
前記取得手段が前記レンズユニットの能力情報を取得できなかった場合は、前記本体ユニットでの再生可能時間を前記表示部に表示させることを特徴とする撮像装置。
【請求項２】
前記制御手段は、前記取得した能力情報に基づき、前記表示部のアスペクト比を変更して当該表示部に表示させることを特徴とする請求項１に記載の撮像装置。
【請求項３】
前記制御手段は、前記取得した能力情報に基づき、表示する前記残電圧容量データのメモリ幅を決定することを特徴とする請求項１または２に記載の撮像装置。
【請求項４】
前記本体ユニットは、記録手段を有し、
前記本体ユニットは、前記撮像素子により取得された画像データを前記レンズユニットから受信し、該画像データを前記記録手段により記録媒体に記録し、
前記制御手段は、前記取得した能力情報に基づき、前記記録媒体の記録可能な残容量データを前記表示部に表示することを特徴とする請求項１乃至３のいずれかに記載の撮像装置。
【請求項５】
撮像光学系と該撮像光学系により結像された被写体を撮像する撮像素子とを有するレンズユニットと、表示部を有する本体ユニットとが着脱可能な撮像装置の制御方法において、
前記本体ユニットは、複数の前記レンズユニットのうち任意の１つの前記レンズユニットを装着可能であり、
前記本体ユニットが、装着されている前記レンズユニットの能力情報を取得する取得工程と、
前記取得した能力情報に基づき、前記表示部に、装着されている前記レンズユニットに関する表示を行う制御工程と、を備え、
前記本体ユニットは、電源供給手段を備え、
前記レンズユニットは、前記電源供給手段から電力を供給され、
前記制御工程は、
前記取得工程で前記レンズユニットの能力情報を取得した場合は、前記取得した能力情報に基づき、前記電源供給手段の残電圧容量データを当該取得した能力情報に基づき時間データに変換し前記表示部に表示させ、
前記取得工程で前記レンズユニットの能力情報を取得できなかった場合は、前記本体ユニットでの再生可能時間を前記表示部に表示させることを特徴とする撮像装置の制御方法。
【請求項６】
前記制御工程は、前記取得した能力情報に基づき、前記表示部のアスペクト比を変更して当該表示部に表示させることを特徴とする請求項５に記載の撮像装置の制御方法。
【請求項７】
前記制御工程は、前記取得した能力情報に基づき、表示する前記残電圧容量データのメモリ幅を決定することを特徴とする請求項５または６に記載の撮像装置の制御方法。
【請求項８】
前記本体ユニットは、記録手段を有し、
前記本体ユニットが、前記撮像素子により取得された画像データを前記レンズユニットから受信し、該画像データを前記記録手段により記録媒体に記録する記録工程を有し、
前記制御工程は、前記取得した能力情報に基づき、前記記録媒体の記録可能な残容量データを前記表示部に表示することを特徴とする請求項５乃至７のいずれかに記載の撮像装置の制御方法。
【発明の詳細な説明】
【技術分野】
【０００１】
本発明は、撮像装置及び該撮像装置の制御方法に関し、特に、撮像光学系と撮像素子とを内蔵したレンズユニットと、該レンズユニットを着脱自在の保持する本体ユニットを備える撮像装置及び該撮像装置の制御方法に関する。
【背景技術】
【０００２】
近年、ＣＣＤイメージセンサやＣＭＯＳイメージセンサなどの撮像素子によって撮像された撮像対象物（被写体）をデジタルの画像データに変換し、内蔵メモリやメモリカードなどの記憶媒体（記録媒体）に記憶するデジタルカメラが普及している。こうしたデジタルカメラの中には、撮像素子を備えたカメラ本体に対して撮像光学系を着脱自在にすることにより、異なるレンズ特性を容易に得られるようにしたデジタルカメラ（いわゆる、一眼レフタイプ）も知られている。
【０００３】
ところが、撮像光学系の着脱を可能にしたデジタルカメラでは、撮像光学系の交換の際に撮像素子が露呈するため、撮像面やその周辺に塵埃が付着して画質を劣化させてしまうという問題があった。このため、撮像光学系と撮像素子とをユニット化（以下、レンズユニットと称す）し、このレンズユニットをカメラ本体（以下、本体ユニットと称す）に着脱自在に装着することによって、撮像素子を露呈させずに撮像光学系の交換を行えるようにしたカメラシステムが、例えば、特許文献１などで提案されている。このカメラシステムでは、レンズユニットと本体ユニットとをコネクタを介して電気的に接続し、種々の制御信号を互いに送受することによって被写体光の撮像を行っている。
【０００４】
このようなカメラシステムにおいて、通常レンズユニットは複数種類存在し、ユーザは任意のレンズユニットを本体ユニットに装着して使用することになるが、同じ機能でもレンズユニットによって性能が異なる場合がある。
【０００５】
従来のレンズユニットが交換可能なカメラシステムは、撮像素子を本体ユニットに備えた一眼タイプのカメラのようなカメラシステムが多く、このようなカメラシステムではレンズの構成が異なるのみであった。このため、レンズ構成以外の性能がカメラごとに異なる場合は稀であり、ＬＣＤなどの表示部に表示される画像や他のデータの表示方法を変更する必要はなかった。
しかしながら、撮像素子をレンズユニットに有するカメラシステムや、レンズユニットごと備える構成が異なる（レンズ構成以外の、加速度センサの有無や画像処理部の仕様の違いなど）カメラシステムでは、本体ユニットに接続するレンズユニットによって、カメラシステムそのものの性能が異なる。このため、現在のカメラシステムの性能の情報や、接続しているレンズユニットそのものの情報がユーザから要求される。
【発明の概要】
【発明が解決しようとする課題】
【０００６】
本発明は、上記従来技術における問題を鑑みてなされたものであって、本体ユニットに接続するレンズユニットによって、表示部に表示されるデータの表示を変更できる撮像装置及び該撮像装置の制御方法を提供することを目的とする。
【課題を解決するための手段】
【０００７】
上記課題を解決するために本発明に係る撮像装置及び該撮像装置の制御方法は、具体的には下記（１）〜（８）に記載の技術的特徴を有する。
【０００８】
（１）：  撮像光学系と該撮像光学系により結像された被写体を撮像する撮像素子とを有するレンズユニットと、表示部を有する本体ユニットとが着脱可能な撮像装置において、
前記本体ユニットは、複数の前記レンズユニットのうち任意の１つの前記レンズユニットを装着可能であり、
前記本体ユニットは、
装着されている前記レンズユニットの能力情報を取得する取得手段と、
前記取得した能力情報に基づき、前記表示部に、装着されている前記レンズユニットに関する表示を行う制御手段と、電源供給手段と、を備え、
前記レンズユニットは、前記電源供給手段から電力を供給され、
前記制御手段は、
前記取得手段が前記レンズユニットの能力情報を取得した場合は、前記取得した能力情報に基づき、前記電源供給手段の残電圧容量データを当該取得した能力情報に基づき時間データに変換し前記表示部に表示させ、
前記取得手段が前記レンズユニットの能力情報を取得できなかった場合は、前記本体ユニットでの再生可能時間を前記表示部に表示させることを特徴とする撮像装置である。
【０００９】
（２）：  前記制御手段は、前記取得した能力情報に基づき、前記表示部のアスペクト比を変更して当該表示部に表示させることを特徴とする上記（１）に記載の撮像装置である。
【００１０】
（３）：  前記制御手段は、前記取得した能力情報に基づき、表示する前記残電圧容量データのメモリ幅を決定することを特徴とする上記（１）または（２）に記載の撮像装置である。
【００１１】
（４）：  前記本体ユニットは、記録手段を有し、
前記本体ユニットは、前記撮像素子により取得された画像データを前記レンズユニットから受信し、該画像データを前記記録手段により記録媒体に記録し、
前記制御手段は、前記取得した能力情報に基づき、前記記録媒体の記録可能な残容量データを前記表示部に表示することを特徴とする上記（１）乃至（３）のいずれかに記載の撮像装置である。
【００１２】
（５）：  撮像光学系と該撮像光学系により結像された被写体を撮像する撮像素子とを有するレンズユニットと、表示部を有する本体ユニットとが着脱可能な撮像装置の制御方法において、
前記本体ユニットは、複数の前記レンズユニットのうち任意の１つの前記レンズユニットを装着可能であり、
前記本体ユニットが、装着されている前記レンズユニットの能力情報を取得する取得工程と、
前記取得した能力情報に基づき、前記表示部に、装着されている前記レンズユニットに関する表示を行う制御工程と、を備え、
前記本体ユニットは、電源供給手段を備え、
前記レンズユニットは、前記電源供給手段から電力を供給され、
前記制御工程は、
前記取得工程で前記レンズユニットの能力情報を取得した場合は、前記取得した能力情報に基づき、前記電源供給手段の残電圧容量データを当該取得した能力情報に基づき時間データに変換し前記表示部に表示させ、
前記取得工程で前記レンズユニットの能力情報を取得できなかった場合は、前記本体ユニットでの再生可能時間を前記表示部に表示させることを特徴とする撮像装置の制御方法である。
【００１３】
（６）：  前記制御工程は、前記取得した能力情報に基づき、前記表示部のアスペクト比を変更して当該表示部に表示させることを特徴とする上記（５）に記載の撮像装置の制御方法である。
【００１４】
（７）：  前記制御工程は、前記取得した能力情報に基づき、表示する前記残電圧容量データのメモリ幅を決定することを特徴とする上記（５）または（６）に記載の撮像装置の制御方法である。
【００１５】
（８）：  前記本体ユニットは、記録手段を有し、
前記本体ユニットが、前記撮像素子により取得された画像データを前記レンズユニットから受信し、該画像データを前記記録手段により記録媒体に記録する記録工程を有し、
前記制御工程は、前記取得した能力情報に基づき、前記記録媒体の記録可能な残容量データを前記表示部に表示することを特徴とする上記（５）乃至（７）のいずれかに記載の撮像装置の制御方法である。
【発明の効果】
【００１６】
本発明によれば、本体ユニットに接続するレンズユニットによって、表示部に表示されるデータの表示を変更できる撮像装置及び該撮像装置の制御方法を提供することができる。
【図面の簡単な説明】
【００１７】
【図１】本発明に係るカメラシステムの一実施形態であるデジタルカメラシステムにおける構成を示す着脱概念図である。
【図２】本発明に係るカメラシステムの一実施形態であるデジタルカメラシステムにおける交換レンズユニットの構成を示すブロック図である。
【図３】本発明に係るカメラシステムの一実施形態であるデジタルカメラシステムにおける本体ユニットの構成を示すブロック図である。
【図４】本発明の第１の実施形態による撮像手順を示すフローチャートである。
【図５】本発明の実施形態における撮像画像表示方法を示す１番目の構成図である。
【図６】本発明の実施形態における撮像画像表示方法を示す２番目の構成図である。
【図７】本発明の実施形態における撮像画像表示方法を示す３番目の構成図である。
【図８】本発明の実施形態における再生画像表示方法を示す４番目の構成図である。
【図９】本発明の第２の実施形態による撮像手順を示すフローチャートである。
【図１０】本発明の第３の実施形態による撮像手順を示すフローチャートである。
【図１１】本発明の第４の実施形態による撮像手順を示すフローチャートである。
【発明を実施するための形態】
【００１８】
本発明に係る撮像装置は、撮像光学系と該撮像光学系により結像された被写体を撮像する撮像素子とを有するレンズユニットと、表示部を有する本体ユニットとが着脱可能な撮像装置において、前記本体ユニットは、複数の前記レンズユニットのうち任意の１つの前記レンズユニットを装着可能であり、前記本体ユニットは、装着されている前記レンズユニットの能力情報を取得する取得手段と、前記取得した能力情報に基づき、前記表示部に、装着されている前記レンズユニットに関する表示を行う制御手段と、を備え、前記本体ユニットの制御手段は、前記複数のレンズユニットの中から装着されるレンズユニットの能力情報に応じて、前記表示部に表示する内容を変更することを特徴とする。
【００１９】
次に、本発明に係る撮像装置についてさらに詳細に説明する。
尚、以下に述べる実施形態は、本発明の好適な実施形態であるから技術的に好ましい種々の限定が付されているが、本発明の範囲は以下の説明において本発明を限定する旨の記載がない限り、これらの態様に限られるものではない。
【００２０】
〔撮像装置の構成例〕
図１は、本発明に係る撮像装置の一実施形態であるデジタル撮像装置における構成を示す着脱概念図である。
図１に示すように、交換レンズユニット部は複数の種類がある。交換レンズユニット：タイプ１は単焦点レンズユニット（２）の交換レンズの場合であり、単焦点レンズユニット部（２）が、本体ユニットとしてのカメラ本体部（１）に着脱可能に接続される場合の構成例を示している。交換レンズユニット：タイプ２は光学ズーム機能付きレンズユニット（２’）の場合であり、光学ズーム機能付きレンズユニット（２’）が、本体ユニットとしてのカメラ本体部（１）に着脱可能に接続される場合の構成例を示している。
【００２１】
レンズユニット２は、例えば、撮影レンズ群（１０７）の焦点距離が異なるもの、ＣＣＤ（１０８）の画素数が異なるもの、モノクロ撮影が可能なもの、赤外線撮影が可能なものなど、複数種類のものが予め用意される。撮像装置としては、これらの各レンズユニット２を選択的に本体ユニット１に装着することにより、撮影状況に応じた画像データを容易に得られるようにしている。
本実施形態では、レンズユニットＡ、レンズユニットＢ、レンズユニットＣの３種類のレンズユニット２が存在するとして説明する。各レンズユニット２の特徴は下記表１に示したとおりである。なお、実際のレンズユニット２は、下記表１に記載されている以外の特徴であってもかまわない。
【００２２】
【表１】
0005544829.tif 000002
【００２３】
図２は、本発明に係る撮像装置の一実施形態であるデジタル撮像装置における交換レンズユニットの構成を示すブロック図である。即ち、前記単焦点レンズユニット（２）の回路ブロック構成図（１００）である。
また図３は、本発明に係る撮像装置の一実施形態であるデジタル撮像装置における本体ユニットの構成を示すブロック図である。即ち、前記カメラ本体部（１）の回路ブロック構成図（２００）である。
以下、本実施形態について単焦点レンズユニット（２）を例に挙げて各部の詳細についてさらに説明するが、言うまでもなく本発明はこれに何ら限定されるものではない。即ち、単焦点レンズユニット（２）にズーム用モーターを有する構成として、光学ズーム機能付きレンズユニット（２’）としても良い。
【００２４】
撮像光学系を構成するレンズ群（１０７）を介して入ってくる撮像データ（撮像光学系により結像された被写体からの反射光）は、撮像素子（１０８）にて光から微弱な電気信号に変換された後、ＡＦＥ(１０９）にて信号増幅とデジタル信号へと変換される。デジタル信号化された撮像データは、レンズユニット部内の画像エンジン（１０３；ＣＰＵを備える）にてＹＵＶ変換、ＪＰＥＧ画像データ変換までの処理が行われるか、あるいは画像エンジン（１０３）にてＲＡＷデータファイルの生成処理が行われる。これらの処理は、撮像動作の状態や、撮像モードの設定により自動的に切り替えられる。
【００２５】
前記画像処理後のデジタル化された撮像データファイルは、交換レンズユニット側画像エンジン（１０３）に設置されている双方向バス（１２３），交換レンズユニットに設けられたジョイントコネクター（１１６），本体ユニット側ジョイントコネクター（２０１）、本体ユニット側双方向バス（２２３）を介して、本体ユニット側画像エンジン（２０８；ＣＰＵを備える）へと送信される。
【００２６】
交換レンズユニット側画像エンジン（１０３）の双方向バス（１２３）ならびに、本体ユニット側画像エンジン（２０８）の双方向バス（２２３）は画像エンジンのバス幅設定を変更することにより送受信データの量に応じてバス幅を随時変更出来る構成となっている。この構成により、交換レンズユニット側の画像エンジン（１０３）と本体ユニット側の画像エンジン（２０８）にて随時処理内容を分散することができ、それぞれ画像処理がどの段階にあるかにかかわらず画像処理途中のデータについて、随時必要に応じてデータの授受ができる構成となっている。
【００２７】
（１１４）は交換レンズユニットの制御用のプログラム、各種設定情報が保存されているＦｌａｓｈ  ＲＯＭであり、（１１５）は交換レンズユニットの画像エンジン（１０３）のためのＷＯＲＫ  ＲＡＭである。
【００２８】
尚、交換レンズユニット側のＦｌａｓｈ  ＲＯＭ（１１４）が有する設定情報とは、撮像時に参照されるものの一部または全部であって、記録画素数、画像圧縮率、フォーカスモード、測光方式、ノイズ除去設定、ホワイトバランス、及びＩＳＯ感度の中から選ばれるいずれか１、または２以上の設定項目を含むものである。交換レンズユニット側のＦｌａｓｈ  ＲＯＭ（１１４）が有する設定情報は、設定項目として好ましくは上記列挙したものを２以上を含み、さらに好ましくはいずれをも含むものである。
このＦｌａｓｈ  ＲＯＭ（１１４）の設定項目は、後述する本体ユニット側のＦｌａｓｈ  ＲＯＭ（２１９）についても同様のものが挙げられる。
【００２９】
（１１１）は交換レンズユニットの鏡筒繰り出し／収納用のモータードライバーであり、画像エンジン（１０３）に制御されて、モーター（１１０）を駆動することで交換レンズ鏡胴の繰り出し／収納の制御を行う。この機構により交換レンズの種類によっては電源ＯＦＦ時に鏡筒を収納することや、ズームレンズの変倍動作を行うことが可能になる。
【００３０】
また、デジタル撮像装置の傾きを検出するジャイロセンサ（１０６）と、デジタル撮像装置に加わる加速度を検出する加速度センサ（１１２）とを備え、さらに、ジャイロセンサ（１０６）が検出した傾き及び加速度センサ（１１２）が検出した加速度によって、レンズ群（１０７）を駆動するコイル（１０５）と、コイル（１０５）の駆動量を検出するホール素子（１０４）を備えている。これら、ジャイロセンサ（１０６）、加速度センサ（１１２）、コイル（１０５）、ホール素子（１０４）によって手ぶれの防止機能を発揮することができる。
【００３１】
（１２１）はレンズユニット側制御信号であり、カメラボディ側制御信号（２２１）に接続される。
（１２２）はレンズユニット側シリアルインターフェース信号であり、カメラボディ側シリアルインターフェース信号（２２２）に接続され、双方の画像エンジンの制御パラメータの授受に用いる事ができる。
（１２４）はレンズユニット側ＳＤＩＯ信号であり、カメラボディ側ＳＤＩＯ信号（２２１）に接続され、カメラボディ側画像エンジン（２０８）の汎用インターフェースポートに入力される。
【００３２】
レンズユニット側サブマイコン（１０２）は、カメラボディ側から電源供給手段により供給された電力（１２０）を検知すると共に、レンズユニット側ＤＣ／ＤＣ（１０１）を制御して、レンズユニット内に必要な各種電源（電力）を生成させる。
【００３３】
（１１３）はレンズユニット外部に装着可能なテレコンバーターレンズあるいは、ワイドコンバータレンズを検出するための回路例である。
【００３４】
（２１１）はカメラボディ側に設けられる、フォーカス＆レリーズスイッチであり、上下左右キーなど（２０６）はカメラボディ側のサブマイコン（２０５）に入力される。カメラボディ側のサブマイコン（２０５）はリチウムイオンバッテリー（２０４）からの電力をカメラボディ側のＤＣ／ＤＣ（２０３）を用いて電源制御ならびに、レンズユニット側への電源スイッチ（２０２）も制御する。
【００３５】
（２１９）はカメラボディ部起動＆制御用のプログラム、各種設定情報が保存されているＦｌａｓｈ  ＲＯＭであり、（２２０）はカメラボディ部の画像エンジン（２０８）のためのＷＯＲＫ  ＲＡＭである。
【００３６】
（２１６）はカメラボディ部に実装される音声コーデックＩＣであり、マイク（２１８）にて音が収集でき、スピーカー（２１７）にて音を出す事ができる。
【００３７】
（２１４）はＵＳＢインターフェース用コネクタであり、（２１３）はＡＶ出力用インターフェースコネクターである。
【００３８】
（２０７）はストロボ回路であり、カメラボディの種類によっては外部ストロボ端子を持っている。
【００３９】
（２１０）は、スイッチ（２１１）の操作によるフォーカシング動作時には被写体像をモニタリング表示させ、撮像動作時には撮像した画像データを表示する表示部であるＬＣＤである。
【００４０】
（２０９）はＥＶＦ（Ｅｌｅｃｔｒｉｃａｌ  Ｖｉｅｗ  Ｆｉｎｄｅｒ）であり、ＬＣＤ（２１０）によらず被写体を確認することができる。
【００４１】
（２１２）はＨＤＭＩ信号の出力インターフェースであり、（２１５）は撮像された画像ファイル（画像データ）を記録手段により書き込むことで保存することができる着脱可能な記録媒体であるＳＤメモリである。
【００４２】
〔撮像手順の第１の実施形態〕
次に、本発明に係る撮像装置における撮像手順の第１の実施形態について図４を参照しながら説明する。
図４において本体ユニット１を起動したら（ステップＳ−１０１）まず、本体ＣＰＵ２０８はレンズユニット２が装着されているかどうかの判断を行う（ステップＳ−１０２）。
ステップＳ−１０２で、レンズユニット２が装着されていると判断された場合、次に、ＣＰＵ２０８はレンズユニット２の種類の判断を行う（ステップＳ−１０３）。
尚、ステップＳ−１０３におけるレンズユニット２の種類の判断では、レンズユニット２と本体ユニット１とで起動時（電源オン時）に行う能力交換によって、本体ユニット１はレンズユニット２からレンズユニットの種類や仕様を取得手段により受信しているので、判断することができる。この能力交換によって本体ユニット１がレンズユニット２から得られる能力としては種々のものがあり特に制限はないが、例えば、撮像素子情報、焦点距離情報、絞り値情報、バッテリテーブル等が挙げられる。
【００４３】
ステップＳ−１０３で、装着されているレンズユニット２がレンズユニットＡであると判断した場合、図５に示すようにＬＣＤ２１０の左下部にレンズユニットＡを装着している旨の表示を行う（ステップＳ−１０４；制御工程）。
ステップＳ−１０３で、装着されているレンズユニット２がレンズユニットＢであると判断した場合、図６のようにＬＣＤ２１０の左下部にレンズユニットＢを装着している旨の表示を行う（ステップＳ−１１４；制御工程）。
ステップＳ−１０３で、装着されているレンズユニット２がレンズユニットＣであると判断した場合、図７のようにＬＣＤ２１０の左下部にレンズユニットＣを装着している旨の表示を行う（ステップＳ−１２４；制御工程）。
【００４４】
ステップＳ−１０２で、レンズユニット２が装着されていないと判断されたら、図８のようにＬＣＤ２１０の左下部にレンズユニット２を装着していない旨の表示を行う（ステップＳ−１３４；制御工程）。また、図８に示す例では、既に撮像した画像データを表示している状態でレンズユニット２を装着していない旨の表示を行っている。
なお、ＬＣＤ２１０に情報を表示する位置は左下部ではなくてもよく、表示するものは文字以外でもかまわない。
【００４５】
以上説明したように、上記実施形態によれば、ＣＰＵ２０８はレンズユニット２の種類を、容易にユーザに通知することが可能となる。
なお、撮像素子はＣＣＤ１０８以外であってもよく、表示部はＬＣＤ２１０以外であってもよい。
【００４６】
〔撮像手順の第２の実施形態〕
次に、本発明に係る撮像装置における撮像手順の第２の実施形態について図９を参照しながら説明する。なお、本発明の実施形態における撮像装置の一例であるカメラシステムの外観図、ブロック図は第１の実施形態と同様で、図１から図３で示したとおりである。
【００４７】
図９において本体ユニット１を起動したら（ステップＳ−２０１）まず、本体ＣＰＵ２０８はレンズユニット２が装着されているかどうかの判断を行う（ステップＳ−２０２）。
【００４８】
ステップＳ−２０２で、レンズユニット２が装着されていると判断された場合、次に、ＣＰＵ２０８はレンズユニット２に搭載されているＣＣＤ１０８のアスペクト比の判断を行う（ステップＳ−２０３）。
尚、ステップＳ−２０３におけるレンズユニット２に搭載されているＣＣＤ１０８のアスペクト比の判断を行うに先立ち、レンズユニット２と本体ユニット１とで起動時（電源オン時）に能力交換を行う。取得手段により本体ユニット１は能力情報を取得することによって、本体ユニット１はレンズユニット２に搭載されているＣＣＤ１０８のアスペクト比を受信しているので、アスペクト比を判断することができる。
【００４９】
ステップＳ−２０３で、ＣＣＤ１０８のアスペクト比が４：３であると判断した場合、図５のようにＬＣＤ２１０の画面全体を用いて撮像画像の表示を行う（ステップＳ−２０４；制御工程）。
ステップＳ−２０３で、ＣＣＤ１０８のアスペクト比が１：１であると判断した場合、図６のようにＬＣＤ２１０の左右を黒塗りにして、表示画像が１：１となるように撮像画像の表示を行う（ステップＳ−２１４；制御工程）。
ステップＳ−２０３で、ＣＣＤ１０８のアスペクト比が３：２であると判断した場合、図７のように上下を黒塗りにして、表示画像が３：２となるように撮像画像の表示を行う（ステップＳ−２２４；制御工程）。
【００５０】
ステップＳ−２０２で、レンズユニット２が装着されていないと判断されたら、図８のようにＬＣＤ２１０の画面全体を用いて再生画像の表示を行う（ステップＳ−２３４；制御工程）。なお、ＣＣＤ１０８のアスペクト比は上記記載したもの以外でもよい。
【００５１】
以上説明したように、上記実施形態によれば、ＣＰＵ２０８はレンズユニット２に搭載されたＣＣＤ１０８のアスペクト比によって、最適に撮像画像を表示することが可能となる。
なお、撮像素子はＣＣＤ１０８以外であってもよく、表示部はＬＣＤ２１０以外であってもかまわない。
【００５２】
本実施形態のように、撮像素子１０８を有するレンズユニット２と本体ユニット１とが着脱可能なカメラシステムにおいて、装着するレンズユニット２によって、ＬＣＤ２１０のアスペクト比とレンズユニット２が有する撮像素子１０８のアスペクト比とが異なってしまう場合でも、画像の端が切れてしまったり、画像のアスペクト比が変わったりしてしまうことなく、本体ユニットのＬＣＤ２１０に画像の表示を行うことができる。
【００５３】
〔撮像手順の第３の実施形態〕
次に、本発明に係る撮像装置における撮像手順の第３の実施形態について図１０を参照しながら説明する。なお、本発明の実施形態における撮像装置の一例であるデジタルカメラの外観図、ブロック図は第１の実施形態と同様で、図１から図３で示したとおりである。
【００５４】
図１０において本体ユニット１を起動したら（ステップＳ−３０１）まず、本体ＣＰＵ２０８は供給されている電源の電圧を測定し（ステップＳ−３０２；残電圧容量検出手段）、レンズユニット２が装着されているかどうかの判断を行う（ステップＳ−３０３）。
ステップＳ−３０３で、レンズユニット２が装着されていると判断された場合、次に、ＣＰＵ２０８はレンズユニット２の種類の判断を行う（ステップＳ−３０４）。
【００５５】
尚、ステップＳ−３０４におけるレンズユニット２の種類の判断では、レンズユニット２と本体ユニット１とで起動時（電源オン時）に行う能力交換によって、本体ユニット１はレンズユニット２からレンズユニットの種類や仕様を取得手段により受信しているので、判断することができる。
【００５６】
ステップＳ−３０４で、装着されているレンズユニット２がレンズユニットＡであると判断した場合、ステップＳ−３０２で測定した電圧およびレンズユニットＡのシステムメモリ（Ｆｌａｓｈ  ＲＯＭ２１９）に記録されたバッテリテーブルをもとにレンズユニットＡでの撮像可能時間（残電圧容量データ）の計算を行い（ステップＳ−３０５）、図５の右下部のマークのようにステップＳ−３０５で計算した撮像可能時間の表示を行う（ステップＳ−３０６；制御工程）。
ステップＳ−３０４で、装着されているレンズユニット２がレンズユニットＢであると判断した場合、ステップＳ−３０２で測定した電圧およびレンズユニットＢのシステムメモリ（Ｆｌａｓｈ  ＲＯＭ２１９）に記録されたバッテリテーブルをもとにレンズユニットＢでの撮像可能時間（残電圧容量データ）の計算を行い（ステップＳ−３１５）、図６の右下部のマークのようにステップＳ−３１５で計算した撮像可能時間の表示を行う（ステップＳ−３１６；制御工程）。
ステップＳ−３０４で、装着されているレンズユニット２がレンズユニットＣであると判断した場合、ステップＳ−３０２で測定した電圧およびレンズユニットＣのシステムメモリ（Ｆｌａｓｈ  ＲＯＭ２１９）に記録されたバッテリテーブルをもとにレンズユニットＣでの撮像可能時間（残電圧容量データ）の計算を行い（ステップＳ−３２５）、図７の右下部のマークのようにステップＳ−３２５で計算した撮像可能時間の表示を行う（ステップＳ−３２６；制御工程）。
【００５７】
ステップＳ−３０３で、レンズユニット２が装着されていないと判断した場合、ステップＳ−３０２で測定した電圧および本体ユニットのシステムメモリ（Ｆｌａｓｈ  ＲＯＭ２１９）に記録されたバッテリテーブルをもとに本体ユニットでの再生可能時間（残電圧容量データ）の計算を行い（ステップＳ−３３５）、図８の右下部のマークのようにステップＳ−３３５で計算した残電圧容量データの表示を行う（ステップＳ−３３６；制御工程）。
【００５８】
なお、撮像可能時間の表示方法や表示単位は、本体ユニット１に装着されたレンズユニット２の種類によって変更してもかまわない。
また、ＬＣＤ２１０に情報を表示する位置は右下部ではなくてもよく、表示するものは図５から図８で示したようなマーク以外でもかまわない。
例えば、レンズユニット２の仕様（撮像素子の種類や、加速度センサの有無など）によって、電力消費量が多いレンズユニットでは、電池マークのメモリ幅を細かくして電池残量の表示を行うことができる。電力消費量が多いと、電池が減る時間（電池の容量の減少速度）が早く、メモリ幅が大きいとメモリが減って電池容量が少なくなったとユーザが気づいたときには既に電池容量が不足してしまう恐れがある。そこで、メモリ幅を細かくすることで、あとどれくらい電池容量が残っているのかユーザが精度よく知ることができ、気づいたときには電池容量が無くなってしまっているということがないように、電池交換や充電の準備をすることができる。一方、電力消費量が少ないレンズユニットでは、電池マークのメモリ幅を、電力消費量が多いレンズユニットの場合より大きくして電池残量の表示を行うことができる。電力消費量が少ないレンズユニットでは、電池が減るのに時間を要するため、メモリが１つ減ってもすぐに電池容量が無くなってしまうということはないため、ユーザがメモリが減ったことに気づいてから電池交換や充電の準備をしても問題がない。
【００５９】
以上説明したように、上記実施形態によれば、ＣＰＵ２０８はレンズユニット２の種類によって、最適な撮像可能時間をユーザに通知することが可能となる。
なお、撮像素子はＣＣＤ１０８以外であってもよく、表示部はＬＣＤ２１０以外であってもかまわない。
【００６０】
〔撮像手順の第４の実施形態〕
次に、本発明に係る撮像装置における撮像手順の第４の実施形態について図１１を参照しながら説明する。なお、本発明の実施形態における撮像装置の一例であるデジタルカメラの外観図、ブロック図は第１の実施形態と同様で、図１から図３で示したとおりである。（フローチャートの説明）
図１１において本体ユニット１を起動したら（ステップＳ−４０１）まず、本体ＣＰＵ２０８は記録媒体としてのメモリカード（ＳＤメモリ）２１５の残容量を測定し（ステップＳ−４０２）、レンズユニット２が装着されているかどうかの判断を行う（ステップＳ−４０３）。
ステップＳ−４０３で、レンズユニット２が装着されていると判断された場合、次に、ＣＰＵ２０８は設定されている撮影画像サイズの判断をおこなう（ステップＳ−４０４）。
ステップＳ−４０４で、撮影画像サイズがフル画素と設定されている場合、ＣＰＵ２０８はレンズユニット２の種類の判断を行う（ステップＳ−４０５）。
尚、ステップＳ−４０５におけるレンズユニット２の種類の判断では、レンズユニット２と本体ユニット１とで起動時（電源オン時）に行う能力交換によって、本体ユニット１はレンズユニット２からレンズユニットの種類や仕様を取得手段により受信しているので、判断することができる。
【００６１】
ステップＳ−４０５で、装着されているレンズユニット２がレンズユニットＡであると判断した場合、ステップＳ−４０２で測定したメモリカード（ＳＤメモリ）２１５の残容量をもとにレンズユニットＡに搭載のＣＣＤ１０８の最大撮影画素数での撮像可能枚数（残容量データ）の計算を行い（ステップＳ−４０６）、図５の右上部のマークのようにステップＳ−４０６で計算した撮像可能枚数の表示を行う（ステップＳ−４０７；制御工程）。
ステップＳ−４０５で、装着されているレンズユニット２がレンズユニットＢであると判断した場合、ステップＳ−４０２で測定したメモリカード（ＳＤメモリ）２１５の残容量をもとにレンズユニットＢに搭載のＣＣＤ１０８の最大撮影画素数での撮像可能枚数（残容量データ）の計算を行い（ステップＳ−４１６）、図６の右上部のマークのようにステップＳ−４１６で計算した撮像可能枚数の表示を行う（ステップＳ−４１７；制御工程）。
ステップＳ−４０５で、装着されているレンズユニット２がレンズユニットＣであると判断した場合、ステップＳ−４０２で測定したメモリカード（ＳＤメモリ）２１５の残容量をもとにレンズユニットＣに搭載のＣＣＤ１０８の最大撮影画素数での撮像可能枚数（残容量データ）の計算を行い（ステップＳ−４２６）、図７の右上部のマークのようにステップＳ−４２６で計算した撮像可能枚数の表示を行う（ステップＳ−４２７；制御工程）。
【００６２】
ステップＳ−４０４でフル画素以外の固定の画像サイズが設定されていた場合、設定された画像サイズでの撮像可能枚数の計算を行い（ステップＳ−４３６）、図６から図８の右上部のマークのようにステップＳ−４３６で計算した撮像可能枚数（残容量データ）の表示を行う（ステップＳ−４３７；制御工程）。
【００６３】
ステップＳ−４０３で、レンズユニット２が装着されていないと判断した場合、図８の右上部のマークのようにステップＳ−４０２で測定したメモリカード（ＳＤメモリ）２１５の残容量（残容量データ）の表示を行う（ステップＳ−４４７）。
【００６４】
なお、ステップＳ−４０７、ステップＳ−４１７、ステップＳ−４２７およびステップＳ−４３７での撮像可能枚数の計算は、たとえば撮影画像サイズで記録をおこなう際の最大必要メモリ量でメモリカード残容量を割ることで計算することが可能である。
また、ＬＣＤ２１０に情報を表示する位置は右上部ではなくてもよく、表示するものは図５から図８で示したようなマーク以外でもかまわない。
【００６５】
以上説明したように、上記実施形態によれば、ＣＰＵ２０８はレンズユニット２の種類によって、最適な撮像可能枚数またはメモリカード容量をユーザに通知することが可能となる。
なお、撮像素子はＣＣＤ１０８以外であってもよく、表示部はＬＣＤ２１０以外であってもかまわない。
【符号の説明】
【００６６】
１  本体ユニット
２  レンズユニット（タイプ１：単焦点）
３  レンズユニット（タイプ２：光学ズーム付き）
１００  レンズユニット回路（タイプ１）
２００  本体ユニット（ボディユニット）
【先行技術文献】
【特許文献】
【００６７】
【特許文献１】特開２０００−１０６６４０号公報
【図１】
0005544829.tif 000003
【図２】
0005544829.tif 000004
【図３】
0005544829.tif 000005
【図４】
0005544829.tif 000006
【図９】
0005544829.tif 000007
【図１０】
0005544829.tif 000008
【図１１】
0005544829.tif 000009
【図５】
0005544829.tif 000010
【図６】
0005544829.tif 000011
【図７】
0005544829.tif 000012
【図８】
0005544829.tif 000013